(57)【特許請求の範囲】
【請求項１】
２個のＵ型コア又はＵ型コアとＩ型コアを閉磁路を形成するように組合わせて巻線を施してなるインダクタにおいて、
前記巻線として、平角線を所定回数だけ中心軸方向に重ねて巻回して第１のコイルとし、かつ同じ平角線を該第１のコイルの外周に隣接するように所定回数だけ中心軸方向に重ねて巻回して前記第１のコイルに連続する第２のコイルとした連続型のめがね状コイルを用い、
前記２個のＵ型コアの組合わせの場合は各Ｕ型コアの２本の脚部がそれぞれ互いに突き合わされて挿入される一方、前記Ｕ型コアとＩ型コアの組合わせの場合には当該Ｕ型コアの２本の脚部がそれぞれ挿入され、前記第１、第２のコイルに挿通されている２つの絶縁性の筒と、
前記めがね状コイルの中心軸方向の両側にあって前記２つの筒が挿通されている２枚の絶縁性の仕切りと、
前記２枚の仕切りのそれぞれを支持するための溝を有して、該溝で前記仕切りの下部を固定することにより前記仕切りと前記めがね状コイルとの組合わせ体を固定している絶縁性の固定台と、
前記２枚の仕切りのそれぞれから突出しているコアを両側から挟むようにして保持するために前記固定台に下部を固定された２枚のコア押え金具とを備えたことを特徴とするインダクタ。
【請求項２】
２個のＵ型コア又はＵ型コアとＩ型コアを閉磁路を形成するように組合わせて２組以上の巻線を施してなるラインフィルタにおいて、
前記各組の巻線として、平角線を所定回数だけ中心軸方向に重ねて巻回して第１のコイルとし、かつ同じ平角線を該第１のコイルの外周に隣接するように所定回数だけ中心軸方向に重ねて巻回して前記第１のコイルに連続する第２のコイルとした連続型のめがね状コイルを２組以上、中心軸方向に組合わせて用い、
前記２個のＵ型コアの組合わせの場合は各Ｕ型コアの２本の脚部がそれぞれ互いに突き合わされて挿入される一方、前記Ｕ型コアとＩ型コアの組合わせの場合には当該Ｕ型コアの２本の脚部がそれぞれ挿入され、前記２組以上の前記第１、第２のコイルのそれぞれに挿通されている２つの絶縁性の筒と、
前記２組以上のめがね状コイルの中心軸方向の両側及び各組のめがね状コイルの間にあって前記２つの筒が挿通されている複数枚の絶縁性の仕切りと、
前記複数枚の仕切りのそれぞれを支持するための溝を有して、該溝で前記仕切りの下部を固定することにより前記仕切りと前記２組以上のめがね状コイルとの組合わせ体を固定している絶縁性の固定台と、
前記複数枚の仕切りのうちの両側の２枚の仕切りのそれぞれから突出しているコアを両側から挟むようにして保持するために前記固定台に下部を固定された２枚のコア押え金具とを備えたことを特徴とするラインフィルタ。
【発明の詳細な説明】
【０００１】
【産業上の利用分野】
本発明はインダクタ及びラインフィルタの構造に関するものである。
【０００２】
【従来の技術】
従来、２個のＵ型コア又はＵ型コアとＩ型コアを組合せて巻線を施してなるインダクタは、あらかじめ必要相数に仕切られた部分に丸線を手加工により巻線として施し、樹脂等のモールドにより固定していた。
【０００３】
一方、ラインフィルタは上記のように製作したモールド前のインダクタを必要相数分の個数だけ組合わせ、これを樹脂等のモールドにより固定していた。
【０００４】
【発明が解決しようとする課題】
その為、インダクタ及びラインフィルタ共に製作に多大な時間を費やし、加えて形状、寸法、特性（浮遊容量）等のバラツキも多く、信頼性及び製作効率を悪くしてしまう欠点があった。
【０００５】
本発明は、これらの欠点を除去するために自動機械により製作可能なめがね状コイルを使用し、これによって形状、寸法、特性等のバラツキを減少させることのできるインダクタ及びラインフィルタを提供することを目的とする。
【０００６】
本発明はまた、樹脂による固定工程を削除できるようにして信頼性、作業性の向上を図ることのできるインダクタ及びラインフィルタを提供することを目的とする。
【０００７】
【課題を解決するための手段】
本発明は、２個のＵ型コア又はＵ型コアとＩ型コアを閉磁路を形成するように組合わせて巻線を施してなるインダクタにおいて、前記巻線として、平角線を所定回数だけ中心軸方向に重ねて巻回して第１のコイルとし、かつ同じ平角線を該第１のコイルの外周に隣接するように所定回数だけ中心軸方向に重ねて巻回して前記第１のコイルに連続する第２のコイルとした連続型のめがね状コイルを用い、前記２個のＵ型コアの組合わせの場合は各Ｕ型コアの２本の脚部がそれぞれ互いに突き合わされて挿入される一方、前記Ｕ型コアとＩ型コアの組合わせの場合には当該Ｕ型コアの２本の脚部がそれぞれ挿入され、前記第１、第２のコイルに挿通されている２つの絶縁性の筒と、前記めがね状コイルの中心軸方向の両側にあって前記２つの筒が挿通されている２枚の絶縁性の仕切りと、前記２枚の仕切りのそれぞれを支持するための溝を有して、該溝で前記仕切りの下部を固定することにより前記仕切りと前記めがね状コイルとの組合わせ体を固定している絶縁性の固定台と、前記２枚の仕切りのそれぞれから突出しているコアを両側から挟むようにして保持するために前記固定台に下部を固定された２枚のコア押え金具とを備えたことを特徴とする。
【０００８】
本発明によればまた、２個のＵ型コア又はＵ型コアとＩ型コアを閉磁路を形成するように組合わせて２組以上の巻線を施してなるラインフィルタにおいて、前記各組の巻線として、平角線を所定回数だけ中心軸方向に重ねて巻回して第１のコイルとし、かつ同じ平角線を該第１のコイルの外周に隣接するように所定回数だけ中心軸方向に重ねて巻回して前記第１のコイルに連続する第２のコイルとした連続型のめがね状コイルを２組以上、中心軸方向に組合わせて用い、前記２個のＵ型コアの組合わせの場合は各Ｕ型コアの２本の脚部がそれぞれ互いに突き合わされて挿入される一方、前記Ｕ型コアとＩ型コアの組合わせの場合には当該Ｕ型コアの２本の脚部がそれぞれ挿入され、前記２組以上の前記第１、第２のコイルのそれぞれに挿通されている２つの絶縁性の筒と、前記２組以上のめがね状コイルの中心軸方向の両側及び各組のめがね状コイルの間にあって前記２つの筒が挿通されている複数枚の絶縁性の仕切りと、前記複数枚の仕切りのそれぞれを支持するための溝を有して、該溝で前記仕切りの下部を固定することにより前記仕切りと前記２組以上のめがね状コイルとの組合わせ体を固定している絶縁性の固定台と、前記複数枚の仕切りのうちの両側の２枚の仕切りのそれぞれから突出しているコアを両側から挟むようにして保持するために前記固定台に下部を固定された２枚のコア押え金具とを備えたことを特徴とするラインフィルタが得られる。
【０００９】
【作用】
本発明においては、インダクタについて言えば、めがね状コイルを自動機械にて製作するので、形状、寸法、特性等のバラツキが減少する。一方、めがね状コイルは、絶縁性樹脂で製作された仕切り、コア収納用の筒等により、絶縁性樹脂によるインダクタ固定台に固定されるので、樹脂による固定工程無しで容易かつ確実に固定作業を行うことができる。
【００１０】
【実施例】
以下に、図面を参照して本発明の実施例について説明する。図１において、本発明によるインダクタは、Ｕ型コアの２本の脚部のそれぞれを収容可能な２つの絶縁性の筒１、２つの筒１を挿通可能な２つの孔を有する２枚の絶縁性の仕切り２、自動機械巻きで製作されためがね状コイル３、２つのＵ型コアの組合わせで閉磁路を形成しているコア４、２枚の絶縁性のコア押え金具５（一方のみ図示）、絶縁性の固定台６とから成り、固定台６には仕切り２を支持するための溝７とコア押え金具５を支持するための溝８が設けられている。
【００１１】
めがね状コイル３は、図２に示すように、平角線１０を縦方向（狭幅面が内外径側になる）に整列して所定回数だけ中心軸方向に巻回して第１のコイル３Ａとし、かつ同じ平角線１０をそのまま今度は第１のコイル３Ａの外周に隣接するように所定回数だけ前記中心軸方向と反対方向かつ逆回りに巻回して第１のコイル３Ａに連続する第２のコイル３Ｂとしたコイルであり、自動機械にて製作される。なお、図２（ｂ）は図２（ａ）のＡ−Ａ線による断面図である。
【００１２】
上記各構成要素は、仕切り２、めがね状コイル３、仕切り２の順に配列した組合わせ体に、２つの仕切り２の間の寸法より大き目の長さを有する筒１を挿通し、筒１にはその両側から２つのＵ型コアを突き合わせるように挿入する。次に、仕切り２を固定台６の溝７に押し込んで仕切り２とめがね状コイル３との組合わせ体を固定台６上に固定する。更に、コア押え金具５を固定台６の溝８に取付けると共にねじ止め固定し、２つのコア押え金具５で仕切り２から突出しているコア４を両側から挟むようにして保持することにより、コア４を固定してインダクタを形成する。なお、めがね状コイル３の２つのコイル端は、このコイル端を接続可能な端子を有する２枚の保持板（図示せず）を固定台６に立設することにより、外部への引き出しを可能にすることができる。
【００１３】
図３は本発明によるラインフィルタの実施例（２相用）を示す図であり、図１で説明しためがね状コイル３を２つ組合わせて構成される。すなわち、仕切り２、めがね状コイル３、仕切り２、めがね状コイル３、仕切り２の順に配列した組合わせ体にこれらの組合わせ体よりやや長めの筒１を挿通し、筒１にはその両側から２つのＵ型コアを突き合わせるように挿入する。次に、仕切り２を固定台６の溝７に押し込んで仕切り２とめがね状コイル３との組合わせ体を固定台６上に固定する。更に、コア押え金具５を固定台６の溝８に取付け、２つのコア押え金具５で仕切り２から突出しているコア４を両側から挟むようにして保持することにより、コア４を固定してラインフィルタを形成する。
【００１４】
なお、図１、図３共に、コア４を２つのＵ型コアで構成しているが、Ｕ型コアとＩ型コアあるいはその他の組合わせでも良いことは言うまでも無い。また、インダクタ及びラインフィルタ共に、めがね状コイルの数は必要相数に応じた数だけ用いられることも当然である。
【００１５】
【発明の効果】
以上述べた様に本発明によれば、仕切りとめがね状コイルとの組合せにより容易に相数を決定してこれらを固定台上に固定することができる。また、めがね状コイルを自動機械巻きで形成できるため形状、寸法、特性（浮遊容量）等に大きな変化が無く、信頼性を向上することができる。また、樹脂等による固定を必要とせず、インダクタ、及びラインフィルタのいずれの場合でも組込みのみで固定できるので作業性を向上させることができる。
【図面の簡単な説明】
【図１】本発明によるインダクタの構造を示す図である。
【図２】本発明に使用されるめがね状コイルを示す図である。
【図３】本発明によるラインフィルタの構造を示す図である。
【符号の説明】
１    絶縁性の筒
２    絶縁性の仕切り
３    めがね状コイル
３Ａ  第１のコイル
３Ｂ  第２のコイル
４    コア
５    コア押え金具
６    固定台
７、８    溝
１０  平角線
【図１】
0003654302.tif 000002
【図２】
0003654302.tif 000003
【図３】
0003654302.tif 000004